(57)【特許請求の範囲】
【請求項１】
クリップ部と、このクリップ部の一端側にゆるやかな湾曲角度で連設するように折り曲げ形成されて筒体端部の径方向に傾斜するクリップ装着部に取り付けられる取付部とで構成され、
前記取付部は、前記クリップ装着部をその傾斜上端縁に沿って被嵌状に包み込むにように周囲縁部を有する浅底状に形成すると共に、クリップ部との連設側を曲げ基点として打抜き折り曲げた取付舌片を形成してなることを特徴とする金属製クリップ。
【請求項２】
請求項１記載の取付舌片は、取付部の上面を平面的に凹ませることで形成したシール取付部の周囲を残し且つクリップ部との連設側曲げ基点側を残して該シール取付部を打抜き折り曲げることで形成してなることを特徴とする金属製クリップ。
【請求項３】
請求項１又は２記載の取付舌片を、クリップ部との連設側曲げ基点から筒体の軸方向に対して直交する水平状に打抜き折り曲げると共に、その略中心部にネジ挿通孔を開口し、このネジ挿通孔からクリップ装着部の平坦部に設けた軸方向の取付孔へのネジ止めにより取り付けるように形成してなることを特徴とする金属製クリップ。
【請求項４】
請求項１又は２記載の取付舌片を、クリップ部との連設側曲げ基点から筒体の軸方向に向けた下向き状に折り曲げ形成し、クリップ装着部の平坦部に設けた前記軸方向の取付孔への圧入により取り付けるように形成してなることを特徴とする金属製クリップ。
【発明の詳細な説明】
【０００１】
【発明の属する技術分野】
本発明は、ボールペン、シャープペンシル、マーカペンその他の筆記具の軸筒やキャップ筒等の筒体に装着されて使用される金属製クリップに係り、特に合成樹脂材料その他の成形材料、或いは所望の金属材料からなる筒体の閉鎖端部にネジ止めその他の取付方法により取り付ける金属製クリップの取付構造に関する。
【０００２】
【従来の技術】
一般に、この種の金属製クリップは加工金型による打抜き加工から一連の曲げ加工が連続的に施されることで形成される。そして、この金属製クリップを取り付ける筒体、例えば一本軸又は前軸と後軸との組み合わせからなる軸筒やキャップ筒等は合成樹脂材料やその他の成形材料を用いた金型成形（射出成形）に一体に形成、或いは所望の金属材料（板材）を用いた金型成形による打抜き・絞り加工により形成される。
【０００３】
ところで、従来から知られているこの種の金属製クリップとしては例えば図７に例示したように、筒体Ｂの閉鎖端部に軸方向に対して直交するように形成されている平坦なクリップ装着部30に被嵌状に取り付ける取付部20を、クリップ部40の一端側に略直角に折り曲げ連設させた側面視略逆Ｌ字状（略直角屈曲形状）に形成されている。
即ち、クリップ部40の一端側に略直角に折り曲げ連設する平面視が略リング状を呈する取付部20を、クリップ装着部30の取付孔31にネジ32止めにより固着せしめることで、側面視略逆Ｌ字状の金属クリップを筒体Ｂに装着し得るように形成してある。
【０００４】
【発明が解決しようとする課題】
近年、ボールペン、シャーペンシル等の筆記具の高級感を引き出して商品価値を高める目的でクリップ自体の形状も前述した略逆Ｌ字状を呈するありふれたシンプルな形状から図１に例示したように、全体的に略流線形とする斬新なデザインに製作された金属製クリップの使用が普及してきている。
即ち、径方向に向けて漸次傾斜するように筒体端部に形成されるクリップ装着部にネジ止めにより取り付ける取付部が、クリップ部の一端側にゆるやかな湾曲角度（形状Ｒ）で連設するように折り曲げ加工された斬新な形状を有する金属製クリップが、筆記具の高級感を引き出す一要素として普及しつつある。
【０００５】
ところが、この様な斬新な形状を有する金属製クリップを筒体に装着するためには、クリップ部の一端側に連設する取付部を径方向に傾斜する筒体端部のクリップ装着部の傾斜上端縁に沿わせた斜め形態にてネジ止め取り付けなければならないが、前述した中心孔をネジ挿通孔とする従来クリップの平面視が略リング状の取付部20を採用する場合にはネジ32止め用の取付孔31を、取付部20のキャップ装着部に対する取付傾斜方向に対して直交する斜め形態にてクリップ装着部に形成する必要がある。換言すれば、筒体Ｂの軸方向に対して鋭角に交差する方向に向けて取付孔31を形成しなければならない。
すると、軸筒やキャップ等の筒体が合成樹脂材料その他の成形材料を用いた金型成形（射出成形）により形成される場合には取付孔を形成する可動コアピンを、固定、可動両金型の型合わせ面に対して直交する方向ではなく、鋭角の斜め方向に組み込み具備する必要があり、結果として金型の製作が面倒で、しかも、可動コアピンを動作させるシリンダー等の設置においても複雑化を招く等の問題を引き起こす要因となる。
【０００６】
本発明は、前述したように側面視が略流線形を呈する斬新なデザインを有する金属製クリップに注目して成されたものであり、その目的とする処は、クリップ部の一端側に連設する取付部を筒体端部のクリップ装着部にネジ止めその他の取付方法により取り付けるに当り、筒体の軸方向へのネジ止め等による取り付けを可能とし、しかも、筒体端部の径方向に傾斜するクリップ装着部の傾斜角度に寸法誤差が生じていてもその誤差を修正せしめた状態で該クリップ装着部に確実に取り付けて装着し得るように開発した金属製クリップを提供することにある。
【０００７】
【課題を達成するための手段】
課題を達成するために本発明は、クリップ部と、このクリップ部の一端側にゆるやかな湾曲角度で連設するように折り曲げ形成されて筒体端部の径方向に向けて漸次傾斜するクリップ装着部に取り付けられる取付部とで構成され、前記取付部は、前記クリップ装着部をその傾斜上端縁に沿って被嵌状に包み込むにように周囲縁部を有する下向き開口の浅底状に折り曲げ形成すると共に、クリップ部との連設側を曲げ基点として下方に打抜き折り曲げた取付舌片を形成したことである。
又、上記取付舌片は、取付部の上面を平面的に凹ませることで形成したシール取付部の底部周囲を残し且つクリップ部との連設側曲げ基点側を残して前記底部を打抜き折り曲げることで形成したことである。又、前記曲げ基点が、シール取付部の底部よりも下方に位置している。
又、上記取付舌片を、クリップ部との連設側曲げ基点から筒体の軸方向に対して直交する水平状に折り曲げ形成すると共に、その略中心部にネジ挿通孔を開口し、このネジ挿通孔からクリップ装着部の平坦部に設けた軸方向の取付孔へのネジ止めにより取り付け、或いは取付舌片を、クリップ部との連設側曲げ基点から筒体の軸方向に向けた下向き状に折り曲げ形成し、クリップ装着部の平坦部に設けた前記軸方向の取付孔への圧入により取り付けるように形成したことである。
【０００８】
而して、本発明の技術的手段によれば、クリップ部の一端側にゆるやかな湾曲角度で連設する取付部に、クリップ部との連設側を曲げ基点として打抜き折り曲げた取付舌片を形成して、取付部を筒体端部の径方向に傾斜するクリップ装着部の傾斜状端縁に沿わせた状態で筒体の軸方向へのネジ止めや圧入による取り付けを可能にした。
つまり、クリップ部の一端側にゆるやかな湾曲角度（形状Ｒ）で連設するクリップ本体の取付部を、径方向に向けて漸次傾斜するクリップ装着部の立上り壁部の傾斜上端に沿わせて取り付ける場合、該取付部の取付舌片はクリップ部との連設側を曲げ基点とするその曲げ角度を任意に変えることが可能である。それにより、取付舌片を筒体の軸方向に対して常に直交させた状態とし得る。例えばクリップ装着部の平坦部にネジ止めにより固着するための取付孔を、筒体の軸方向に向けた状態にて開口（形成）することができる。
又、前述のように、取付舌片の曲げ角度を変えることで、該取付舌片を筒体の軸方向に開口する取付孔にネジ止め又は圧入により固着し得るようにしてなることから、例えば略流線形を呈するクリップ本体のクリップ部と取付部とのゆるやかな湾曲角度が、筆記具の種類や筒体の形状等により変更された場合等であってもその湾曲角度の変更度合いに合わせて取付舌片の曲げ角度を変える僅かな変更で、取付部を径方向に傾斜するクリップ装着部に沿わせた被嵌状にて取付舌片をクリップ装着部の取付部にネジ止め又は圧入により固着せしめて筒体に装着することができる。
【０００９】
【発明の実施の形態】
本発明の実施の具体例を図面に基づいて説明する。
図１は本発明金属製クリップの実施形態の一例を示し、斯かる実施例のクリップ本体Ａは、他端側にクリップ玉部1-1を有するクリップ部１と、このクリップ部１の一端側に折り曲げ形成した取付部２とで構成され、取付部２の後述する取付舌片2-1を、合成樹脂材料からなる軸筒やキャップ筒等の筒体Ｂ端部のクリップ装着部３にネジ４止めにより取り付けることで、クリップ本体Ａを筒体Ｂに装着し得るように形成してなる。
【００１０】
クリップ部１は、所要の長さと幅（形状）を有する帯状を呈し、幅方向両縁に裏面側に向けて折り曲げた縁部1-2を形成すると共に、その他端側裏面に一体的又は固定的にクリップ玉部1-1を設け、一端側にはゆるやかな湾曲角度（形状Ｒ）で連設させた取付部２を折り曲げ形成する。
【００１１】
取付部２は、クリップ装着部３の傾斜上端縁に沿って被嵌状に包み込むようにクリップ部１の両側縁部1-2から連設させた下向き開口の周囲縁部2-2を有する浅底状にクリップ部１の一端側にゆるやかな湾曲角度（形状Ｒ）で連設するように折り曲げ形成する。
そして、この取付部２の平坦な上面の周囲を残した状態で該上面を平面的に絞り込み凹ませることによって、装飾シールＣを接着その他の固着手段により装着するシール取付部５を形成すると共に、このシール取付部５の底部周囲を残し且つクリップ部１との連設側曲げ基点Ｐ側を残して前記底部を打抜き折り曲げることによって、クリップ装着部３の平坦部3-1にネジ４止めにより固着する取付舌片2-1を形成する。
【００１２】
取付舌片2-1は、クリップ本体Ａの取付部２をネジ４止めにより筒体Ｂ端部のキャップ装着部３の傾斜上端縁に沿わせて被嵌状に固着せしめるためのものであり、クリップ部１との連設側曲げ基点Ｐ側を残してシール取付部５の底部を平面視略コの字形に打抜くと共に、該曲げ基点Ｐから筒体Ｂの軸芯に対して直交する水平状に折り曲げることで形成する。
この時、曲げ基点Ｐはシール取付部５より下方に位置するように折り曲げ形成した後に、当該曲げ基点Ｐから取付舌片2-1を軸芯に対して直交する水平状に折り曲げ形成し、その略中心部にネジ挿通孔６を開口する。
【００１３】
因みに、軸筒やキャップ筒等からなる筒体Ｂ端部の径方向に傾斜するキャップ装着部３は、筒体Ｂの軸方向に対して直交する平坦部3-1を有し、この平坦部3-1の周囲から一部を開口させた状態で径方向に向けて漸次傾斜状に立ち上がる立上り壁部3-2を有する。そして、立上り壁部3-2の開口側から取付舌片2-1を落し込み係合させて該舌片2-1の回り止めを図る凹み８を平坦部3-1に形成すると共に、この凹み８には軸方向の取付孔７を開設してなる。
尚、凹み８の深さは特に限定されるものではないが、取付舌片2-1の板厚よりも浅い方が好ましい。その理由としてはネジ４の頭部が取付舌片2-1の板幅よりも小さい又は大きい等、頭部の大きさに関係なく取付舌片2-1を平坦部3-1にしっかりと取り付けることが可能になるからである。
又、立上り壁部3-2の傾斜上端縁には取付部２の周囲縁部2-2が適合合致する係合部９を形成してなる。
取付孔７は、木ネジのようなネジを使用する場合には単なる孔で良いが、ボルト等を使用する場合には内面に雌ネジを施したネジ孔とする。
【００１４】
而して、以上の如く構成した本実施例の金属製クリップによれば、クリップ部１の一端側にゆるやかな湾曲角度（形状Ｒ）で連設するクリップ本体Ａの取付部２を、筒体Ｂの径方向に向けて漸次傾斜するクリップ装着部３の立上り壁部3-2の傾斜上端に沿わせて取り付ける場合、該取付部２の取付舌片2-1はクリップ部１との連設側を曲げ基点Ｐとするその曲げ角度θを任意に変えることが可能であることから、クリップ装着部３の平坦部3-1に設けた凹み８に係合するように取付舌片2-1をその曲げ基点Ｐから水平に折り曲げ加工せしめることで、クリップ装着部３の軸方向の取付孔７にネジ４止め固着することができる。
つまり、取付部２を筒体Ｂの軸方向に対して直角に直交させずにクリップ部１の一端側からゆるやかな湾曲角度（形状Ｒ）で連設させた斜め傾斜状でクリップ装着部３に取り付けなければならない斬新なデザインの略流線形を呈するクリップ本体Ａであってもクリップ部１との連設側を曲げ基点Ｐとして折り曲げ形成した取付舌片2-1により軸方向に開口するクリップ装着部３の取付孔７へネジ４止め固着することができる。
【００１５】
又、本実施例の金属製クリップによれば、取付部２の取付舌片2-1はクリップ部１との連設側を曲げ基点Ｐとするその曲げ角度θを任意に変えることが可能であることから、例えばクリップ本体Ａのクリップ部１と取付部２とのゆるやかな湾曲角度（形状Ｒ）が、筆記具の種類や筒体Ｂの形状（デザイン等）により大きく又は小さく変更された場合等にはその湾曲角度（形状Ｒ）の変更に合わせて取付舌片2-1の曲げ角度θを変えることで、クリップ装着部３の平坦部3-1の凹み８に無理なく落し込み係合させてネジ４止めにより固着することが可能になる。
即ち、取付部２の周囲縁部2-2がキャップ装着部３の係合部９に確実に適合合致せしめると共に、クリップ部１のバネ作用（張力）が定められた一定の状態に保たれるように曲げ角度θを大きく又は小さくする等、該曲げ角度θを変える変更で、取付舌片2-1をクリップ装着部３の平坦部3-1の凹み８に落し込み係合させた状態でネジ挿通孔６から取付孔７へのネジ４止めにより固着せしめることにより、クリップ本体Ａの取付部２をクリップ装着部３の立上り壁部3-2の傾斜上端に沿わせて被嵌状に取り付けて筒体Ｂにクリップ本体Ａを装着することができる。
【００１６】
図５乃至図６は、他の実施例を示し、斯かる実施例では取付部２に形成した取付舌片2-1aを圧入により固着するように構成してなるものである。
斯かる実施例では圧入により取付舌片2-1aをクリップ装着部３に固着し得るように構成した以外は前述の実施例詳述の内容と基本的に変わりないことから同じ構成部分に同じ符号を使用することで重複説明を省略する。
即ち、斯かる実施例におけるクリップ本体A-1はクリップ部１との連設側曲げ基点Ｐから筒体Ｂの軸芯に対して直交する水平状に取付舌片2-1aを打抜き折り曲げた後、その曲げ基点Ｐ近傍において筒体Ｂの軸方向に向けた下向き直角状（垂直状）に更に折り曲げ加工することで、クリップ装着部３の平坦部3-1に設けた軸方向の取付孔10へ圧入し得るように形成してなるものである。
【００１７】
又、斯かる実施例においては取付舌片2-1aの両側縁に鋸刃状（ニンプル形状）の食込み歯部11を形成し、取付舌片2-1aの横断面形状と同じかそれよりも小さい細長角状に形成した取付孔10に圧入せしめた際に、取付孔10の両側内壁に食込み係止せしめるようになっている。つまり、取付舌片2-1aを一旦取付孔10に圧入した後には簡単に抜け外れない強靭な状態で取付部２を筒体Ｂ端部のキャップ装着部３に固着し得るようにしてある。
【００１８】
而して、斯かる実施例詳述の金属製クリップによれば、前述したように、クリップ部１の一端側にゆるやかな湾曲角度（形状Ｒ）で連設するクリップ本体A-1の取付部２を、径方向に向けて漸次傾斜するクリップ装着部３の立上り壁部3-2の傾斜上端に沿わせて取り付ける場合、該取付部２の取付舌片2-1aはクリップ部１との連設側を曲げ基点Ｐとするその曲げ角度θを任意に変えることが可能であることから、クリップ装着部３の平坦部3-1に設けた軸方向の取付孔10に圧入し得るように取付舌片2-1aをその曲げ基点Ｐから折り曲げ加工せしめることで、クリップ装着部３の軸方向の取付部10に圧入により固着することができる。
【００１９】
又、前述したように、取付部２の取付舌片2-1aはクリップ部１との連設側を曲げ基点Ｐとするその曲げ角度θを任意に変えることが可能であることから、例えばクリップ本体A-1のクリップ部１と取付部２とのゆるやかな湾曲角度（形状Ｒ）が変更された場合等にはその湾曲角度（形状Ｒ）の変更に合わせてクリップ部１との連設側を曲げ基点Ｐとする取付部２の取付舌片2-1aの曲げ角度θを変えることで、取付舌片2-1aをクリップ装着部３の平坦部3-1にその折曲げ根元側を密着させるまで取付孔10へ圧入により固着せしめることができる。それにより、クリップ本体A-1の取付部２をクリップ装着部３の立上り壁部3-2の傾斜上端に沿わせて被嵌状に取り付けて筒体Ｂにクリップ本体A-1を装着することができる。
【００２０】
【発明の効果】
本発明の金属製クリップは叙上の如く構成してなることから下記の作用効果を奏する。
▲１▼．本発明によれば、クリップ部の一端側にゆるやかな湾曲角度（形状Ｒ）で連設するクリップ本体の取付部を、筒体の径方向に向けて漸次傾斜するクリップ装着部の立上り壁部の傾斜上端に沿わせて取り付ける場合、該取付部の取付舌片はクリップ部との連設側を曲げ基点Ｐとするその曲げ角度θを任意に変えることが可能であることから、該取付舌片を筒体の軸方向に対して常に直交させた状態とし得る。これにより、例えばクリップ装着部にネジ止めにより固着するための取付孔を、筒体の軸方向に向けた状態にてクリップ装着部に開口（形成）することができる。
従って、例えば筒体が合成樹脂材料その他の成形材料を用いた金型成形（射出成形）により形成される場合には取付孔を形成する可動コアピンを、固定、可動両金型の型合わせ面と同じ型合わせ方向に組み込み具備する従来構造と殆ど変わらない金型構造で良いことから、金型の製作やその構造の複雑化を招くことはない。
【００２１】
▲２▼．又、本発明によれば、取付舌片は曲げ角度θを変えることで、クリップ部と取付部とのゆるやかな湾曲角度（形状Ｒ）の変更に合せて筒体端部のクリップ装着部への取り付けが可能であることから、曲げ角度θに僅かな曲げ誤差が生じていてもそれをクリップ装着部へのネジ止め又は圧入時に修正しながら取り付けることができる。
【００２２】
▲３▼．又、本発明によれば、前述のように、取付舌片の曲げ角度θを変えることで、該取付舌片を筒体の軸方向に開口する取付孔にネジ止め又は圧入により固着し得るようにしてなることから、例えば略流線形を呈するクリップ本体のクリップ部と取付部とのゆるやかな湾曲角度が、筆記具の種類や筒体の形状等により変更された場合等であってもその湾曲角度の変更度合いに合わせて取付舌片の曲げ角度を変える僅かな変更で、取付部を径方向に傾斜するクリップ装着部に沿わせた被嵌状にて取付舌片をクリップ装着部の取付部にネジ止め又は圧入により固着せしめて筒体に装着することができる等の効果も期待できる。
【図面の簡単な説明】
【図１】  本発明金属製クリップの実施形態の一例を示し、（ａ）は斜視図、（ｂ）は同平面図
【図２】  同金属製クリップを装着する筒体の一例を示した斜視図
【図３】  同金属製クリップを筒体に装着した状態の縦断面図
【図４】  クリップ部と取付部とのゆるやかな湾曲角度（形状Ｒ）を変更した状態の一例を示した同縦断面図
【図５】  本発明金属製クリップの他の実施形態を示し、（ａ）は斜視図、（ｂ）は同平面図
【図６】  同金属製クリップを筒体に装着した状態の縦断面図
【図７】  従来例を示した縦断面図
【符号の説明】
Ａ，A-1：クリップ本体      １：クリップ部
1-1：クリップ玉部     1-2：両側縁部
２：取付部     2-1，2-1a：取付舌片
2-2：周囲縁部          ３：クリップ装着部
3-1：平坦部           3-2：立上り壁部
４：ネジ              ５：シール取付部
６：ネジ挿通孔   ７，９：取付孔
Ｂ：筒体             Ｃ：装飾シール
【図１】
0004248158.tif 000002
【図２】
0004248158.tif 000003
【図３】
0004248158.tif 000004
【図４】
0004248158.tif 000005
【図５】
0004248158.tif 000006
【図６】
0004248158.tif 000007
【図７】
0004248158.tif 000008